(57)【要約】【課題】画像処理コンピュータによって、被印刷物を処理する機械の製品を管理するためのデジタル画像検査方法である。【解決手段】複数の前記デジタル部分画像を１つのデジタル全体画像に統合した後、エッジ検出法を用いて、検出済みのエッジだけを含んでいる新しい画像を作成し、前記画像撮影装置の前記接触エッジの既知の位置を利用して、前記画像撮影装置の前記接触エッジを有する領域だけを含んでいるさらに別の新しい画像を作成し、その後、新しく作成された両方の前記画像を重ね合わせ、これによって、前記画像撮影装置の前記接触エッジに沿ったエッジだけを含んでいる１つの合成された画像作成され、前記合成された画像を前記デジタル全体画像に適用し、これにより、その結果として得られたデジタル全体画像において、前記画像検査によって検査されない隠蔽領域を画定する。【選択図】図７
2017157218.tif 000002
【特許請求の範囲】
【請求項１】
画像処理コンピュータ（３３）によって、被印刷物を処理する機械（３１）の製品を管理するためのデジタル画像検査方法であって、
複数の画像撮影装置（３５）によって、検査すべき印刷画像（３４）のデジタル部分画像をそれぞれに撮影し、
前記画像処理コンピュータ（３３）において、複数の前記デジタル部分画像を１つのデジタル全体画像（２２）に統合し、
これによって複数の前記デジタル部分画像のオーバーラップ領域に、接触エッジ（１６）が発生し、
その後、前記画像処理コンピュータ（３３）は、前記デジタル全体画像（２２）を画像検査に供し、前記画像検査の結果を、前記被印刷物を処理する機械（３１）の制御コンピュータ（２９）に送信する、
デジタル画像検査方法において、
前記画像処理コンピュータ（３３）は、複数の前記デジタル部分画像を１つのデジタル全体画像（２２）に統合した後、エッジ検出法を用いて、検出済みのエッジ（１８）だけを含んでいる新しい画像（２４）を作成し、
前記画像処理コンピュータ（３３）はさらに、前記画像撮影装置（３５）の前記接触エッジ（１６）の既知の位置を利用して、前記画像撮影装置（３５）の前記接触エッジ（１６）を有する領域（１９）だけを含んでいるさらに別の新しい画像（２５）を作成し、
前記画像処理コンピュータ（３３）は、その後、新しく作成された両方の前記画像（２４，２５）を重ね合わせ、これによって、前記画像撮影装置（３５）の前記接触エッジ（１６）に沿ったエッジ（１８）だけを含んでいる１つの合成された画像（２０）が作成され、
前記画像処理コンピュータ（３３）は、前記合成された画像（２０）を前記デジタル全体画像（２２）に適用し、これにより、その結果として得られたデジタル全体画像（２６）において、前記画像検査によって検査されない隠蔽領域（２１）を画定する、
ことを特徴とするデジタル画像検査方法。
【請求項２】
前記画像撮影装置（３５）は、３ライン方式のライン（１）を有するカラーラインカメラ（３５）、又は、３ＣＣＤ方式のライン（２）を有するカラーラインカメラである、
請求項１記載のデジタル画像検査方法。
【請求項３】
前記カラーラインカメラ（３５）は、前記被印刷物を処理する機械（３１）内に配置されている、
請求項２記載のデジタル画像検査方法。
【請求項４】
２つの前記デジタル部分画像を、水平に隣り合って配置されている２つのカラーラインカメラ（３５）によって撮影する、
請求項２又は３記載のデジタル画像検査方法。
【請求項５】
前記隠蔽領域（２１）は、検査すべき前記デジタル全体画像（２６）の総面積の０．１％以下である、
請求項１から４のいずれか１項記載のデジタル画像検査方法。
【請求項６】
前記検出済みのエッジ（１８）を含んでいる新しく作成された前記画像（２４）と、前記接触エッジ（１９）を含んでいる新しく作成された前記画像（２５）と、は、両方とも２値画像マスクであり、
両方の前記画像（２４，２５）を重ね合わせることによって、前記隠蔽領域（２１）だけを含んでいる１つの合成された２値画像マスク（２０）を作成し、
前記２値画像マスク（２０）を、前記デジタル全体画像（２２）に直接的に適用する、
請求項１から５のいずれか１項記載のデジタル画像検査方法。
【請求項７】
前記被印刷物を処理する機械（３１）は、枚葉オフセット印刷機である、
請求項１から６のいずれか１項記載のデジタル画像検査方法。
【発明の詳細な説明】
【技術分野】
【０００１】
本発明は、複数のカメラによるデジタル画像検査方法に関する。
【０００２】
本発明は、印刷製品の自動的な品質管理という技術分野に属する。
【背景技術】
【０００３】
印刷産業では従前から、製造された印刷製品を自動的な品質管理に供することが公知である。これに関して通常は、製造された印刷製品を画像技術的に検出するために、１つ又は複数のデジタルカメラからなるカメラシステムが使用される。デジタルカメラは、印刷機の内部に、有利には最後の印刷ユニットの下流に取り付けることも、印刷機の外部のデリバリに取り付けることも可能である。印刷機の内部に取り付けられたデジタルカメラを用いる画像検査システムは、多くの場合、印刷機自体の構成部分である。これに対し、印刷機の外部に取り付けられたデジタルカメラを用いる画像検査システムは、多くの場合、独立して動作する外部システムである。ただし、このような外部システムは、印刷機の動作と同期させる必要があり、また、外部システムの検査結果のフィードバックをそのつど印刷者又は印刷機の制御装置に送信する必要がある。
【０００４】
印刷製品の印刷画像は、デジタルカメラシステムによってスキャンされ、接続されている画像処理コンピュータに送信される。この画像処理コンピュータにおいて、その後、撮影されたデジタル印刷画像に印刷不良がないかどうかが検査される。この検査の実施方法については複数の異なる選択肢が存在する。最も一般的なのは、撮影された印刷画像を理想的なデジタル目標画像と比較することである。この比較は、２値化処理によって機能する。この場合、撮影された画像の画像値が、理想的なデジタル比較画像の目標値から、予め定められたしきい値又は許容誤差値よりも大きく相違しているどうかが検査される。
【０００５】
この場合、理想的なデジタル目標画像は、複数の方法で作成することができる。１つの選択肢は、プリプレスデータから、すなわちデジタルに設けられる印刷ジョブデータから作成することである。さらには、目標画像をティーチングする方法が非常に普及している。この場合、検査すべき印刷画像が印刷機において複数回印刷され、画像検査システムのデジタルカメラによってスキャンされる。その後、画像検査システムが、複数の異なるデジタル印刷画像から１つの平均化された、いわば理想的な目標印刷画像を作成する。
【０００６】
プリプレスデータから作成する方法と比べたこの方法の利点は、この方法によって作成された目標印刷画像のほうが、プリプレスデータから作成された理想的なデジタル目標印刷画像よりも、可能な限り理想的な印刷画像にはるかに近いということにある。
【０００７】
ここで、カメラシステムによって撮影されたデジタル印刷画像と、デジタル目標印刷画像とを比較して、許容誤差値を上回るずれがあることが判明した場合には、印刷画像のうちこのようなずれを有する該当領域が、画像処理コンピュータから印刷機の制御コンピュータに送信され、この制御コンピュータにより、画像スクリーンを介して印刷者に印刷不良であるとして表示される。
【０００８】
カメラシステムが複数のデジタルカメラから構成されている場合には、印刷画像をより精確に検査することができるという利点があるが、この場合には、このことから、画像検査システムの作動方法に関してさらに別の複数の異なる選択肢がでてくる。つまり、それぞれのデジタルカメラは、検査すべき印刷画像の一部だけをスキャンする。その場合、画像処理コンピュータでは、このようにして作成された複数の部分画像をそれぞれ対応する理想的な部分目標印刷画像と別々に比較することができるか、又は、これら複数の部分画像を１つのデジタル全体印刷画像に統合してから、理想的な全体目標印刷画像と比較することができるのである。いずれの方法が有利であるかは、とりわけ画像検査システムのハードウェアによって決まり、画像比較のアルゴリズム自体も、これに対して大きな影響を及ぼす。多くの場合、１つのデジタル全体画像に統合して、これを１つの理想的な全体目標印刷画像と比較するほうが効率的である。
【０００９】
しかしながらこの方法の場合には、複数の個々の部分画像を、極めて精確に１つのデジタル全体画像に統合する必要がある。そうしなければ、部分カメラ同士の接触エッジにおいて、すなわち個々の部分画像同士の間のオーバーラップ領域において、画像アーチファクトが発生してしまう。しかも、カメラの部分画像を統合する場合にはさらに別の問題も生じる。この種の画像検査では、画像検出のために電子的なラインカメラが使用されることが多い。このようなカメラは３つの個々のカメラからなり、それぞれのカメラは、それぞれ１ラインずつ、空間的に離間された状態で、それぞれにＲ、Ｇ、Ｂの部分画像を検出する。このようにして作成された３本のラインの形態のＲＧＢ部分画像が、その後、１つの全体画像に統合される。これに関しては、従来技術から２つの方法が公知である。すなわち、３ライン方式のラインによる方法と、プリズムを用いた３ＣＣＤ方式のラインによる方法である。
【００１０】
個々に撮影されるラインは、ラインカメラ内で空間的に離間配置された状態で撮影されるので、３つの個々のカメラを機械的に精確に位置決めして、画像におけるカラーフリンジを回避しなければならない。しかしながらこのような機械的な位置決めは、製造時のコスト制約上の理由から、カラーフリンジを完全に回避するために十分な精度を有していないことが多い。ラインカメラにおける光学系の色収差も、カラーフリンジの一端を担っている。
【００１１】
これに対し、欧州特許公報の翻訳文である独国特許出願公開第６０３０２１８３号明細書（DE 603 02 183 T2）から、色収差を効果的に補正するためにコンパクトなｆθレンズを備えた光走査装置が公知である。
【００１２】
欧州特許公報の翻訳文である独国特許出願公開第６９５２９５４８号明細書（DE 695 29 548 T2）からはさらに、複数の視点から得られた画像を基にして観察者の視点からの１つの画像を作成する画像処理方法及びその装置が公知であり、この画像処理方法及びその装置によれば、ＣＣＤセンサの画像撮影のための光学レンズの色収差も補正することが可能である。
【００１３】
しかしながら上記の従来技術は、３つの個々のカメラの機械的な位置決めの不精確性に起因するカラーフリンジの問題を解決するためには適さない。従って、画像検査においてこのようなラインカメラを使用する場合には、カメラによって撮影されたデジタル印刷画像と、実際に手元にある印刷画像との間にこのようにして発生するずれを、画像検査システムの評価の際に相応にして考慮しなければならない。実際に撮影されたデジタル印刷画像と比較されるデジタル目標印刷画像を、ティーチングによって作成する場合には、通常であればこのことは問題ない。
【００１４】
ただし、複数のカメラを使用する場合には、全ての部分画像においてそれぞれ個別のカラーフリンジが発生する。それぞれ異なるラインカメラにおける３つの個々のカメラの機械的な位置決めのずれは、それぞれに異なっているので、それぞれ異なるカメラによって撮影された部分画像に対してそれぞれ異なるカラーフリンジが発生する。この結果、複数の異なるカメラによって撮影された、印刷画像中における同一の面が、カラーフリンジによってそれぞれ異なる色値を有することとなる。ラインカメラ同士の接触エッジでは、すなわち、個々の部分画像同士が１つのデジタル全体画像に統合されるところでは、それぞれ異なるカラーフリンジによって引き起こされるそれぞれ異なる色値によって、エッジの形態で現れる顕著な色変化が発生する。これらのエッジは、画像処理において、このようにして統合された撮影された全体画像とデジタル目標印刷画像とを比較する際に、画像エラーとして識別される。しかしながら、これらの画像エラーは実際には本当の画像エラーではなく、理想的でないラインカメラによって引き起こされたいわゆる疑似エラーであるに過ぎない。
【００１５】
これまでの従来技術では、画像検査システムは、このような種類の疑似エラーを自動的に識別することはできなかった。このような疑似エラーは、印刷者によって疑似エラーであると識別し、疑似エラーとして分類し、検査システムに表示させる必要があった。このことは、印刷者にとって相当な作業コストの原因となっており、印刷者は、この時間に、印刷監視におけるその他の必要な作業に配慮することができなくなる。
【発明の概要】
【発明が解決しようとする課題】
【００１６】
従って、本発明の課題は、これまでの従来技術から公知の方法よりも効率的に動作し、印刷者の手動の介入をより少なくした、デジタル画像検査方法を開示することである。
【課題を解決するための手段】
【００１７】
本発明による上記の課題の解決方法は、画像処理コンピュータによって、被印刷物を処理する機械の製品を管理するためのデジタル画像検査方法であって、複数の画像撮影装置によって、検査すべき印刷画像のデジタル部分画像をそれぞれに撮影し、前記画像処理コンピュータにおいて、複数の前記デジタル部分画像を１つのデジタル全体画像に統合し、これによって複数の前記デジタル部分画像のオーバーラップ領域に、接触エッジが発生し、その後、前記画像処理コンピュータは、前記デジタル全体画像を画像検査に供し、当該画像検査の結果を、前記被印刷物を処理する機械の制御コンピュータに送信する、デジタル画像検査方法において、前記画像処理コンピュータは、複数の前記デジタル部分画像を１つのデジタル全体画像に統合した後、エッジ検出法を用いて、検出済みのエッジだけを含んでいる新しい画像を作成し、前記画像処理コンピュータはさらに、前記画像撮影装置の前記接触エッジの既知の位置を利用して、前記画像撮影装置の前記接触エッジを有する領域だけを含んでいるさらに別の新しい画像を作成し、前記画像処理コンピュータは、その後、新しく作成された両方の前記画像を重ね合わせ、これによって、前記画像撮影装置の前記接触エッジに沿ったエッジだけを含んでいる１つの合成された画像が作成され、前記画像処理コンピュータは、前記合成された画像を前記デジタル全体画像に適用し、これにより、その結果として得られたデジタル全体画像において、前記画像検査によって検査されない隠蔽領域を画定する、ことを特徴とするデジタル画像検査方法である。
【００１８】
本発明に係る方法の核心部分は、発生した疑似エラーの一部を画像検査から除外することにある。画像検査から除外される面積が大きくなりすぎないように、ひいては、画像検査全体の品質が低下しないように、発生した疑似エラーのうちどれが最も重大であるかを特定する必要がある。その後、これらの最も重大な疑似エラーだけを検査から排除すればよい。カラーフリンジによって引き起こされる疑似エラーは、とりわけ、印刷画像中において既に通常のエッジが発生している箇所において特に顕著である。つまり、最も重大な疑似エラーは、カメラ同士の接触エッジに沿った顕著なカラーフリンジと、本来の印刷画像におけるエッジとの間の交点において発生する。この箇所を特定するために、エッジ検出法を用いて、デジタル目標印刷画像から、エッジを有する画像箇所だけを含んでいる新しい画像が作成される。その後、カメラ同士の接触エッジだけを含んでいる第２の画像が作成される。これら両方の画像は、重ね合わせられて、カメラ同士の接触エッジと画像エッジ自体との間の交差領域だけを含んでいる１つの新しい合成された画像となる。この合成された画像は、その後、デジタル目標印刷画像と重ね合わされ、そして、特定された交差領域が、オリジナルの目標印刷画像中における、画像検査から除外すべき画像箇所を画定する。上記の方法によれば、最も重大な疑似エラーが画像検査から除外されると同時に、個々の部分画像同士のオーバーラップ領域全体が、画像検査から除外されることはなくなる。これにより、大きすぎる隠蔽領域によって検査品質を悪化させることなく、疑似エラーが低減され、画像検査の品質が全体として向上する。
【００１９】
本方法の有利な好ましい発展形態は、添付の従属請求項と、添付の図面を含む明細書から明らかとなる。
【００２０】
本発明に係る方法の有利な発展形態では、前記画像撮影装置は、３ライン方式のラインを有するカラーラインカメラ、又は、３ＣＣＤ方式のラインを有するカラーラインカメラである。３ライン方式のライン又は３ＣＣＤ方式のラインによって技術的に動作するカラーラインカメラが、好ましい画像撮影装置であることが判明している。
【００２１】
本発明に係る方法のさらに別の有利な発展形態では、前記カラーラインカメラは、前記被印刷物を処理する機械内に配置されている。なぜなら、画像検査システムのカメラを印刷機内に配置した場合には、画像検査が最も効率的になるからである。
【００２２】
本発明に係る方法のさらに別の好ましい発展形態では、２つの前記デジタル部分画像が、水平に隣り合って配置されている２つのカラーラインカメラによって撮影される。一般的な、被印刷物を処理する機械の場合には、２つのデジタルカメラを使用すれば全く十分であり、その場合にはこれら２つのデジタルカメラは、印刷機内に、通常は最後の印刷ユニットの下流に、隣り合って配置されている。
【００２３】
本発明に係る方法のさらに別の好ましい発展形態では、前記隠蔽領域は、検査すべき前記デジタル全体画像の総面積の０．１％以下である。画像検査の品質をさほど阻害しないようにするためには、本発明に係る方法によって画定される隠蔽領域が、検査すべきデジタル全体画像の総面積の最大０．１％を上回ってはならない。実験によれば、カラーフリンジによって引き起こされるほぼ全ての該当する疑似エラーを隠蔽するためには、上記の値で全く十分である。それでも、このような疑似エラーがさらに増加的に発生した場合には、０．１％より大きい値を使用することも考えられる。このことは、それぞれの印刷者の責任範囲下にあり、その設定に関しては、画像検査システムの制御装置によって条件付きで可能となるようにすべきである。
【００２４】
本発明に係る方法のさらに別の好ましい発展形態では、前記検出済みのエッジを含んでいる新しく作成された前記画像と、前記接触エッジを含んでいる新しく作成された前記画像は、両方とも２値画像マスクであり、両方の前記画像を重ね合わせることによって、前記隠蔽領域だけを含んでいる１つの合成された２値画像マスクが作成され、当該２値画像マスクが、前記デジタル全体画像に直接的に適用される。新しく作成された両方の画像、又は、両方の画像を重ね合わせることによって合成された画像は、エッジ検出法によって作成され、好ましくは２値画像マスクの形態で設けられる。すなわち、特定された領域は白色／１で示され、隠蔽された領域は黒色／０で示される。両方の２値画像マスクを重ね合わせることにより、１つの合成された２値画像マスクが作成され、その場合、この合成された２値画像マスクには、白色／１を有する隠蔽領域だけが存在している。もちろん、白色／１と黒色／０とを逆にした表示形態も考えられる。この合成された２値画像マスクは、その後、デジタル目標印刷画像に非常に簡単に適用することができ、これによって、隠蔽領域の内部の画像領域は、画像検査方法に対していわば取り除かれている。
【００２５】
本発明に係る方法のさらに別の好ましい発展形態では、前記被印刷物を処理する機械は、枚葉オフセット印刷機である。本発明に係るデジタル画像検査方法は、好ましくは枚葉オフセット印刷機において使用される。しかしながら、本発明に係るデジタル画像検査方法は、枚葉オフセット印刷機だけでしか使用できないわけではなく、被印刷物を処理するその他全ての種類の機械においても使用することが可能である。それどころか、複数のカメラを用いて動作する全ての画像検査方法のために、印刷技術の枠を超えた使用が可能である。
【００２６】
以下では、本方法及び本方法の機能的に有利な発展形態を、少なくとも１つの好ましい実施例に基づく添付の図面に関連してより詳細に説明する。図面では、互いに対応する要素にはそれぞれ同じ参照符号が付されている。
【図面の簡単な説明】
【００２７】
【図１】３ライン方式のラインを有する電子的なラインカメラと、プリズムを用いた３ＣＣＤ方式のラインを有する電子的なラインカメラの撮影原理を示す図である。
【図２】デジタル目標印刷画像の例を示す図である。
【図３】カラーフリンジを有するデジタル目標印刷画像を示す図である。
【図４】２つのそれぞれ異なるカラーフリンジを有する１つの統合された検査画像を示す図である。
【図５】２つのそれぞれ異なるカラーフリンジと、疑似エラーとを有する１つの統合された画像を示す図である。
【図６】３つの２値画像マスクを示す図である。
【図７】隠蔽領域がマーキングされた、オリジナルのデジタル目標印刷画像を示す図である。
【図８】本発明に係る方法の概略図である。
【図９】使用される画像検査システムの概略構造図である。
【図１０】２つのカメラを有する、使用されるカメラシステムの構造図である。
【発明を実施するための形態】
【００２８】
図８には、本発明に係る方法のフローチャートが概略的に図示されている。印刷ジョブデータによって印刷ジョブが開始され、印刷の進行中に画像検査システム２８のカメラシステム３２の画像撮影が行われる。画像検査システム２８は、図９に概略的に図示されている。画像検査システム２８は、印刷機３１自体の他に、印刷機３１に取り付けられたカメラシステム３２と、カメラシステム３２に直接的に接続され、印刷機３１の制御コンピュータ２９に接続された画像処理コンピュータ３３と、からなる。この場合、ディスプレイ３０を有する制御コンピュータ２９は、ユーザ２７のためのインターフェースである。カメラシステム３２自体は、図１０にもう一度概略的に図示されている。カメラシステム３２は、印刷機３１の内部に、通常は最後の印刷ユニットの下流に取り付けられており、電子的なラインカメラ３５の形態の、２つの水平に隣り合って配置されたデジタルカメラ３５からなる。この場合、これら２つの部分カメラ３５は、検査すべき印刷画像３４のそれぞれ一部、この場合にはそれぞれ半分を撮影する。印刷画像３４のほぼ中央にわずかなオーバーラップ領域が発生しており、２つの部分画像を統合する際には、このオーバーラップ領域を考慮する必要がある。さて、印刷ジョブに基づいて印刷されたオリジナルの画像２３を撮影することによって、印刷領域３４の１つのデジタル全体画像２２が作成され、その後、このデジタル全体画像２２は、後続の画像検査の過程においてデジタル目標印刷画像と比較される。図１には、このようなデジタル部分カメラ３５の例が、電子的なラインカメラ３５の形態で図示されている。ここでは、３ライン方式のライン１を有する電子的なラインカメラ３５か、プリズム３を用いた３ＣＣＤ方式のライン２を有する電子的なラインカメラ３５の、２つの実施形態が存在する。図２にはさらに、明るい背景４，６の上の暗い線５を有する理想的な検査画像が図示されている。図３は、カラーフリンジを有する実際の構成における、明るい背景７，９の上の暗い線８の同一の画像を示す。これらのカラーフリンジは、色値のずれを引き起こす。画像検査システム２８は２つの部分カメラ３５からなっているので、まず、２つの部分画像から１つの全体画像２２を統合しなければならない。図４は、カラーフリンジを有する、明るい背景の上の黒い線を有する既に紹介した同一の例示画像２２を示す。２つのカメラは、それぞれ１つの部分画像を撮影し、その後、これらの部分画像は、画像処理コンピュータにおいて統合される。見て取れるように、２つの画像領域におけるカラーフリンジは、暗い領域１１，１４と、明るい領域１０，１２，１３，１５とにおいてそれぞれ異なる強さで顕著になっている。これにより、既に説明した疑似エラーが発生することとなる。これらの疑似エラーは、既に紹介した例示画像の図５においてもう一度図示されている。ここでは、２つの部分カメラの接触エッジ１６において色値が急激に移行していることが良好に見て取れる。
【００２９】
ここで本発明に係る方法では、画像撮影の後に隠蔽領域２１の特定が行われる。この隠蔽領域２１とは、発生した疑似エラーが画像検査システム２８の検査結果に一緒に考慮されることを阻止するためのものである。隠蔽領域２１の特定は、エッジ検出法を用いて実施され、統合された検査全体画像２２に、このエッジ検出法が適用される。エッジ検出法によって２値画像マスク２４が作成され、この２値画像マスク２４は、全体画像２２においてエッジを含んでいる画像箇所１８のみをマーキングする。画像マスク２４の残りの領域１７は、隠蔽されている。このような画像マスク２４は、とりわけ図６の１つ目の画像に図示されている。その後、次の方法ステップにおいて、使用されている全体画像２２の部分カメラ１６同士の接触エッジに、エッジ検出法が適用される。このとき、カメラ３５同士の接触エッジ１６の既知の位置を利用して、すなわち２つの部分画像の間の既知のオーバーラップ領域を利用して、カメラ３５同士の接触エッジ１６だけを画像領域１９として含んでいる２値画像マスク２５が作成される。ここでも、残りの領域１７は隠蔽されている。このことは、例えば図６の２つ目の画像に図示されている。その後、これら両方の２値画像マスク２４，２５は、後続の方法ステップにおいて重ね合わせられ、これによって１つの合成された２値画像マスク２０が得られる。この合成された２値画像マスク２０は、例えば図６の３つ目の画像に図示されている。合成された２値画像マスク２０は、このようにして画定された隠蔽領域２１を除いて、全ての画像領域１７を隠蔽する。その後、本発明に係る最後の方法ステップでは、合成された２値画像マスク２０が、統合された検査すべき撮影されたデジタル印刷画像２２に適用される。これにより、このデジタル印刷画像２２中において、画像検査方法によって検出すべきでない隠蔽領域２１が画定される。図７は、マーキングされた隠蔽領域２１を備える、明るい背景の上の暗い線を有する既に使用された例示画像２６を示す。このようにして得られたデジタル画像２６は、その後、本来の画像検査のために使用される。これにより、個々の部分画像のカラーフリンジによって引き起こされた疑似エラーが画像検査方法を不利に阻害することが、成功裏に阻止される。
【符号の説明】
【００３０】
１  ３ライン方式のラインを有するカラーラインカメラ
２  プリズムを用いた３ＣＣＤ方式のラインを有するカラーラインカメラ
３  プリズム
４  例示画像の第１の明るい面
５  例示画像の暗い面
６  例示画像の第２の明るい面
７  カラーフリンジを有する例示画像の第１の明るい面
８  カラーフリンジを有する例示画像の暗い面
９  カラーフリンジを有する例示画像の第２の明るい面
１０  カラーフリンジを有する第１のカメラの例示画像の第１の明るい面
１１  カラーフリンジを有する第１のカメラの例示画像の暗い面
１２  カラーフリンジを有する第１のカメラの例示画像の第２の明るい面
１３  カラーフリンジを有する第２のカメラの例示画像の第１の明るい面
１４  カラーフリンジを有する第２のカメラの例示画像の暗い面
１５  カラーフリンジを有する第２のカメラの例示画像の第２の明るい面
１６  ２つの部分カメラの接触エッジ
１７  画像マスクにおける隠蔽された領域
１８  画像エッジ領域の２値画像データ
１９  接触エッジ領域の２値画像データ
２０  合成された２値画像マスク
２１  隠蔽領域
２２  カラーフリンジを有する、複数の部分画像から統合された例示画像
２３  印刷ジョブデータからのオリジナルの例示画像
２４  画像エッジ領域を有する２値画像マスク
２５  接触エッジ領域を有する２値画像マスク
２６  カラーフリンジと隠蔽領域とを有する、複数の部分領域から統合された例示画像
２７  ユーザ
２８  画像検査システム
２９  印刷機の制御コンピュータ
３０  ディスプレイ
３１  印刷機
３２  カメラシステム
３３  画像処理コンピュータ
３４  印刷が施された被印刷物
３５  デジタルラインカメラ
３６  カラーフリンジを有する例示画像
【図１】
2017157218.tif 000003
【図２】
2017157218.tif 000004
【図３】
2017157218.tif 000005
【図４】
2017157218.tif 000006
【図５】
2017157218.tif 000007
【図６】
2017157218.tif 000008
【図７】
2017157218.tif 000009
【図８】
2017157218.tif 000010
【図９】
2017157218.tif 000011
【図１０】
2017157218.tif 000012
【外国語明細書】
2017157218.tif 000013
2017157218.tif 000014
2017157218.tif 000015
2017157218.tif 000016
2017157218.tif 000017
2017157218.tif 000018
2017157218.tif 000019
2017157218.tif 000020
2017157218.tif 000021
2017157218.tif 000022
2017157218.tif 000023
2017157218.tif 000024
2017157218.tif 000025
2017157218.tif 000026
2017157218.tif 000027
2017157218.tif 000028
2017157218.tif 000029
2017157218.tif 000030
2017157218.tif 000031
2017157218.tif 000032
2017157218.tif 000033
2017157218.tif 000034
2017157218.tif 000035
2017157218.tif 000036